(57)【要約】      （修正有）【課題】Ｘ型リンクレバーによらず、複数のキートップを一斉に薄膜回路基板の上面に固定することができる構成を有するキーボードを提供する。【解決手段】薄膜回路基板２と、ユーザの押圧操作を受ける上壁４１４と該上壁４１４の周縁から下方へ延伸している周壁４１３とを有し、且つ、薄膜回路基板２の上方に実装されているキートップ４１２、及び、キートップ４１２の下に該キートップ４１２に対応するように薄膜回路基板２の上面に設置されている弾性部３を有する入力キースイッチ４１を複数備えている入力キーセットと、からなっている。複数のキートップ４１２は、共に一枚の弾性フィルム４１１の表面からそれぞれ突出し、且ついずれも周りの他のキートップ４１２と一体的に連続するようになっている。また、上壁４１４の上下両表面のうちの少なくとも一面に、硬質の補強材４２が敷設されている。【選択図】図３
0003161452.tif 000002
【実用新案登録請求の範囲】
【請求項１】
上下二面を有するように配置構成されている薄膜回路基板と、
ユーザの押圧操作を受ける上壁と該上壁の周縁から下方へ延伸している周壁とを有し、且つ、前記薄膜回路基板の上方に実装されているキートップ、及び、前記キートップの下に該キートップに対応するように前記薄膜回路基板の上面に設置されていて前記ユーザの押圧操作により前記薄膜回路基板を通して入力信号を発生させることができる弾性部を有する入力キースイッチを複数備えている入力キーセットと、
からなっているキーボードであって、
前記複数の入力キースイッチにおける複数のキートップは、共に一枚の弾性フィルムの表面からそれぞれ突出し、且ついずれも周りの他のキートップと一体的に連続するようになっており、
また、前記上壁の上下両表面のうちの少なくとも一面に、硬質の補強材が敷設されていることを特徴とするキーボード。
【請求項２】
前記各入力キースイッチの補強材は、面積が対応するキートップにおける上壁より小さいか、等しくなっていることを特徴とする請求項１に記載のキーボード。
【請求項３】
前記弾性フィルムと前記薄膜回路基板との間に支持フィルムが挟まれており、該支持フィルムは、前記複数の弾性部と対応する複数の貫孔が開けられていて前記複数の弾性部を貫通させている上、前記弾性フィルムを下から支持していることを特徴とする請求項１又は２に記載のキーボード。
【請求項４】
前記各入力キースイッチの補強材が、対応するキートップにおける上壁の上表面に敷設されていることを特徴とする請求項１〜３のいずれか一項に記載のキーボード。
【請求項５】
前記各入力キースイッチの補強材が、対応するキートップにおける上壁の下表面に敷設されていることを特徴とする請求項１〜４のいずれか一項に記載のキーボード。
【考案の詳細な説明】
【技術分野】
【０００１】
本考案は、キーボードに関する。
【背景技術】
【０００２】
従来のキーボードは、キーボードベースと、キーボードベースの上面に設けられている薄膜回路基板と、前記薄膜回路基板の上面に実装されていてそれらへの押圧操作により前記薄膜回路基板を通して入力信号を発生させることができる複数の入力キースイッチを有する入力キーセットとからなっている。
【０００３】
前記各入力キースイッチは、キートップと、前記キートップを支持しながら前記薄膜回路基板を通して前記キーボードベースに固定している昇降可能なＸ型リンクレバーと、前記Ｘ型リンクレバーの下面と接続していて、キートップからの押圧操作により前記薄膜回路基板を通して入力信号を発生させることができる弾性部とを有する（下記特許文献１参照）。
【先行技術文献】
【特許文献】
【０００４】
【特許文献１】台湾特許公告第５０９９５５号
【考案の概要】
【考案が解決しようとする課題】
【０００５】
しかしながら、このような従来のキーボードを組立てる時、複数のキートップを、複数のＸ型リンクレバーと一対一対組み合わせてからキーボードベースに固定しなければならず、手間がかなりかかる上、コストの面からみても非常に不利である。
【０００６】
前記問題点を解消するために、本考案は、従来のＸ型リンクレバーによる支持や固定を要しない上、複数のキートップを一斉に薄膜回路基板の上面に固定することができる構成を有するキーボードの提供を目的とする。
【課題を解決するための手段】
【０００７】
前記目的を達成するために、本考案は、上下二面を有するように配置構成されている薄膜回路基板と、ユーザの押圧操作を受ける上壁と該上壁の周縁から下方へ延伸している周壁とを有し、且つ、前記薄膜回路基板の上方に実装されているキートップ、及び、前記キートップの下に該キートップに対応するように前記薄膜回路基板の上面に設置されていて前記ユーザの押圧操作により前記薄膜回路基板を通して入力信号を発生させることができる弾性部を有する入力キースイッチを複数備えている入力キーセットと、からなっているキーボードであって、前記複数の入力キースイッチにおける複数のキートップは、共に一枚の弾性フィルムの表面からそれぞれ突出し、且ついずれも周りの他のキートップと一体的に連続するようになっており、また、前記上壁の上下両表面のうちの少なくとも一面に、硬質の補強材が敷設されているキーボードを提供する。
【考案の効果】
【０００８】
本考案の構成によるキーボードにおける複数のキートップは、共に一体的に一枚の弾性フィルムに構成されているため、いずれも該弾性フィルムに支えられていて自立性があり、従来のＸ型リンクレバーによる支持を要しないので、全体の構成が大幅に簡略化できる。
【０００９】
また、本考案の構成によるキーボードにおける複数のキートップは、一体的に連続しているため、一斉に薄膜回路基板に配置固定されることができるので、キーボードの組立工程を大幅に簡略化できる。
【図面の簡単な説明】
【００１０】
【図１】本考案の好適な実施形態であるキーボードを示す斜視図である。
【図２】本考案の第１の実施形態であるキーボードの分解図である。
【図３】図２のキーボードの部分断面図である。
【図４】本考案の第２の実施形態であるキーボードの分解図である。
【図５】図４のキーボードの部分断面図である。
【図６】本考案の第３の実施形態であるキーボードの分解図である。
【図７】図６のキーボードの部分断面図である。
【図８】本考案の第４の実施形態であるキーボードの分解図である。
【図９】図８のキーボードの部分断面図である。
【考案を実施するための形態】
【００１１】
以下、本考案のキーボードの四つの好適な実施形態を説明する。なお、以下の説明において、四つの好適な実施形態における類似の部分には同一符号をつける。
【００１２】
〔第１の実施形態〕
先ず、本考案の第１の実施形態におけるキーボードを説明する。図１及び図２に示したように、本考案の第１の実施形態におけるキーボードは、キーボードベース１と、薄膜回路基板２と、複数の入力キースイッチ４１を有する入力キーセット４と、からなっている。
【００１３】
図示のように、キーボードベース１も薄膜回路基板２も上下二面を有する平面体であるが、薄膜回路基板２は、その下面がキーボードベース１の上面に配置構成されており、且つ、その上面の、複数の入力スイッチ４１の予定位置と対応する複数の位置に、それぞれ対応する入力スイッチ４１と電気接触する接点２１が形成してある。
【００１４】
入力キーセット４における各入力キースイッチ４１は、キートップ４１２と、弾性部３とを有する。
【００１５】
各入力キースイッチ４１におけるキートップ４１２は、ユーザの押圧操作を受ける上壁４１４と該上壁４１４の周縁から下方へ延伸している周壁４１３とを有し、且つ、弾性フィルム４１１の表面から突出するように該表面に形成されている。つまり、入力キーセット４における全てのキートップ４１２は、共に一枚の弾性フィルム４１１の表面からそれぞれ突出し、且ついずれも周りの他のキートップと一体的に連続するようになっている。また、この実施形態における弾性フィルム４１１は、シリコーンからなったものであるが、ゴムなどの他の、硬直性が若干ある可撓性材料からなり、該弾性フィルム４１１に形成されるキートップ４１２がそれぞれ自立性を有するようになるものを使用しても良い。
【００１６】
各入力キースイッチ４１における弾性部３は、いずれも空洞状内部を有し、且つ、その空洞状内部の上部に凸部３２が下の接点２１と対応するように形成された、簡単な構成の弾性体である。図示のように、各弾性部３は、下から対応するキートップ４１２に接触し、且つ、上から対応する接点２１を覆うように薄膜回路基板２の上面に設置されている。また、この実施形態における弾性部３は、シリコーンからなっているが、ゴムからなっても良い。
【００１７】
図示のように、弾性フィルム４１１において、その突出していない部分は、接着剤により薄膜回路基板２にぴったりと粘着されているが、突出している部分（即ち、複数のキートップ４１２）は、複数の弾性部３と下記補強材４２とを介した間接的な上下接触だけで構成されている。
【００１８】
つまり、この実施形態のキーボードにおける弾性部３は、従来のＸ型リンクレバーの代わりに使用されているものである。即ち、この実施形態のキーボードにおけるキートップ４１２には、それ自体で該上壁４１４を接点２１及び弾性部３の上方の適当な位置に保持できる自立性があるので、従来のＸ型リンクレバーによって支持されたり固定されたりする必要がない。
【００１９】
また、前記のように、この実施形態のキーボードにおける複数のキートップ４１２は、いずれも他のキートップ４１２と一体的に連続しているので、一斉に薄膜回路基板２の上面に配置固定されることができ、その組立て工程を大幅に簡略化できる。
【００２０】
そして、図示のように、この実施形態のキーボードは、ユーザの押圧操作によりキートップ４１２が押し下げられると、押されたキートップ４１２の周壁４１３も、キートップ４１２と接触している弾性部３も弾性変形されるので、弾性部３の内部にある凸部３２は押し下げられて薄膜回路基板２における対応する接点２１と接触し、入力信号を発生させることができる。また、キートップ４１２にかかる押圧力が釈放されると、周壁４１３も弾性部３も元の形状に戻るので、凸部３２は上がって薄膜回路基板２における対応する接点２１と離間し、入力信号を中断することができる。
【００２１】
また、この実施形態においては、各上壁４１４の下表面に硬質の補強材４２が敷設されている。この硬質の補強材４２は、上壁４１４の硬直性及び受圧均一性を高めることで、上から押圧力を頻繁に受ける上壁４１４の形状を長期保持するためのものである。この実施形態における各補強材４２は、面積が対応の上壁４１４より小さくなっており、接着剤により対応の上壁４１４に粘着されている。即ち、この実施形態における弾性部３は、いずれも補強材４２を介して上壁４１４と接触している。この補強材４２の材料として、硬質のものであれば、特別な制限はないが、例として、プラスチック、金属、アクリルなどが挙げられる。また、この実施形態における各補強材４２は、面積が対応の上壁４１４より小さくなっているが、等しくなっても良い。
【００２２】
〔第２の実施形態〕
次に本考案の第２の実施形態のキーボードを説明する。
【００２３】
第２の実施形態のキーボードは、図４及び図５に示したように、各補強材４２は、対応のキートップ４１２における上壁４１４の上表面に敷設されており、且つ対応の弾性部３は、対応のキートップ４１２における上壁４１４の下に、該上壁４１４の下表面と接触しないように設置されていること以外、他の構成が全て第１の実施形態のキーボードと同様である。この実施形態のキーボードにおけるキートップ４１２は、その対応の弾性部３がその上壁４１４の下表面と接触していないため、上からの押圧力を受けてから対応する弾性部３と接触し、薄膜回路基板２を通して入力信号を発生させるまで若干の遅延時間をもたらすことができるので、その操作敏感性を調整できる。
【００２４】
〔第３の実施形態〕
次に本考案の第３の実施形態のキーボードを説明する。
【００２５】
第３の実施形態のキーボードは、図６及び図７に示したように、支持フィルム５が、弾性フィルム４１１と薄膜回路基板２との間に挟まれていること以外、他の構成が全て第１の実施形態のキーボードと同様である。
【００２６】
この支持フィルム５は、弾性フィルム４１１を厚く丈夫にするものであり、即ち、図示のように、その全面に複数の弾性部３と対応する複数の貫孔５２が開けられていて、下の薄膜回路基板２の上面に設置されている複数の弾性部３を貫通させている上、弾性フィルム４１１を下から支持している。更に、本実施形態において、支持フィルム５は、硬質であり、接着剤により弾性フィルム４１１の突出していない部分に粘着されているため、弾性フィルム４１１の突出していない部分を直接的に、また、突出している部分を周囲から間接的に補強し、すべてのキートップ４１２の硬直性及び形状保持性を高めることができる。また、図７に示したように、この実施形態は、この支持フィルム５を弾性フィルム４１１と薄膜回路基板２との間に補填することにより、各キートップ４１２の設置高さに必要な各キートップ４１２自体の高さを減らし、周壁４１３の延伸長さも減らすことができる。
【００２７】
〔第４の実施形態〕
次に本考案の第４の実施形態のキーボードを説明する。
【００２８】
第４の実施形態のキーボードは、図８及び図９に示したように、その各補強材４２は、対応のキートップ４１２における上壁４１４の上表面に敷設されており、且つ対応の弾性部３は、対応のキートップ４１２における上壁４１４の下に、該上壁４１４の下表面と接触しないように設置されていること以外、他の構成が全て第３の実施形態のキーボードと同様である。
【産業上の利用可能性】
【００２９】
上述のように、本考案の構成によれば、キーボードにおける複数のキートップは、共に一体的に連続するように一枚の弾性フィルムに構成されているため、いずれも該弾性フィルムに支えられていて自立性があり、従来のＸ型リンクレバーによる支持を要しない上、一斉に薄膜回路基板に配置固定されることもできるので、キーボードの組立工程を大幅に簡略化できる。
【符号の説明】
【００３０】
１  キーボードベース
２  薄膜回路基板
２１  接点
３  弾性部
３２  凸部
４  入力キーセット
４１  入力キースイッチ
４１１  弾性フィルム
４１２  キートップ
４１３  周壁
４１４  上壁
４２  補強材
５  支持フィルム
５２  貫孔
【図１】
0003161452.tif 000003
【図２】
0003161452.tif 000004
【図３】
0003161452.tif 000005
【図４】
0003161452.tif 000006
【図５】
0003161452.tif 000007
【図６】
0003161452.tif 000008
【図７】
0003161452.tif 000009
【図８】
0003161452.tif 000010
【図９】
0003161452.tif 000011